(57)【要約】【課題】記号もしくは記号列を他人から視認され難くすることを目的とする装飾品において、単独であっても特定条件を満足すれば視認が容易で、また、円滑に位置合わせ可能な装飾品が求められてきたこと。【解決手段】隣接した少なくとも二面に跨って記号または記号列が配置された第１装飾品と第２装飾品とからなり、前記第１装飾品の記号または記号列の一部が配置された一の面と第２装飾品の記号または記号列の一部が配置された一の面とが隣り合うように配置した場合に、前記第１装飾品の一の面から前記第２装飾品の一の面にかけて前記記号または記号列が認識可能に表示されること。
2011013408.tif 000002
【特許請求の範囲】
【請求項１】
隣接した少なくとも二面に跨って記号または記号列が配置された第１装飾品と第２装飾品とからなり、
前記第１装飾品の記号または記号列の一部が配置された一の面と第２装飾品の記号または記号列の一部が配置された一の面とが隣り合うように配置した場合に、
前記第１装飾品の一の面から前記第２装飾品の一の面にかけて前記記号または記号列が認識可能に表示される、装飾品。
【請求項２】
前記第１装飾品の一の面と、前記第２装飾品の一の面とが同一面となるように隣り合って配置した場合に、前記第１装飾品の一の面から前記第２装飾品の一の面にかけて前記記号または記号列が認識可能に表示される、請求項１に記載の装飾品。
【請求項３】
前記第１装飾品の前記当接した面には、前記記号または記号列の上部が配置され、
前記第２装飾品の前記当接した面には、前記記号または記号列の下部が配置されている、請求項１または２に記載の装飾品。
【請求項４】
前記隣接した少なくとも二面は互いに略垂直である、請求項１から３のいずれかに記載の装飾品。
【請求項５】
前記隣接した少なくとも二面によって形成された交線部を有する、請求項１から４のいずれかに記載の装飾品。
【請求項６】
前記第１装飾品と前記第２装飾品は、各々が多面体である、請求項１から５のいずれかに記載の装飾品。
【請求項７】
前記多面体は直方体もしくは立方体である、請求項６に記載の装飾品。
【請求項８】
前記第１装飾品と前記第２装飾品は、各々が、外向き面と、内向き面と、前記外向き面と前記内向き面との間に位置する側面とを有し、前記外向き面と前記側面との少なくとも二面に跨って記号または記号列が配置された環状体であって、
前記第１装飾品の外向き面と第２装飾品の外向き面とが隣り合うように配置した場合に、
前記第１装飾品の外向き面から前記第２装飾品の外向き面にかけて前記記号または記号列
が認識可能に表示される、請求項１から５のいずれかに記載の装飾品。
【請求項９】
前記第１装飾品の外向き面と、前記第２装飾品の外向き面とが同一面となるように隣り合って配置した場合に、前記第１装飾品の外向き面から前記第２装飾品の外向き面にかけて前記記号または記号列が認識可能に表示される、請求項８に記載の装飾品。
【請求項１０】
前記第１装飾品と前記第２装飾品はそれぞれの外向き面の外径どうしが同等である、請求項８または９に記載の装飾品。
【請求項１１】
前記第１装飾品と前記第２装飾品は、各々が外向き面と、内向き面と、前記外向き面と前記内向き面との間に位置する側面とを有し、前記内向き面と前記側面との少なくとも二面に跨って記号または記号列が配置された環状体であって、
前記第１装飾品の内向き面と第２装飾品の内向き面とが隣りあうように配置した場合に、
前記第１装飾品の内向き面から前記第２装飾品の内向き面にかけて前記記号または記号列が認識可能に表示される、請求項１から５のいずれかに記載の装飾品。
【請求項１２】
前記第１装飾品の内向き面と、前記第２装飾品の内向き面とが同一面となるように隣り合って配置した場合に、前記第１装飾品の内向き面から前記第２装飾品の内向き面にかけて前記記号または記号列が認識可能に表示される、請求項１１に記載の装飾品。
【請求項１３】
前記第１装飾品と前記第２装飾品はそれぞれの内向き面の内径どうしが同等である、請求項１１または１２に記載の装飾品。
【請求項１４】
前記第１装飾品と前記第２装飾品は、各々が外向き面と、内向き面と、前記外向き面と前記内向き面との間に位置する側面とを有し、かつ、前記第１装飾品の外径が、前記第２装飾品の内径以下である環状体であって、
前記第１装飾品には、前記外向き面と前記側面との少なくとも二面に跨って記号または記号列が配置されており、
前記第２装飾品には、前記内向き面と前記側面との少なくとも二面に跨って記号または記号列が配置されており、
前記第１装飾品の外向き面と前記第２装飾品の内向き面とが対向するように配置した場合に、
前記第１装飾品の側面から前記第２装飾品の側面にかけて前記記号または記号列が認識可能に表示される、請求項１から５のいずれかに記載の装飾品。
【請求項１５】
前記第１装飾品の側面と、前記第２装飾品の側面とが同一面となるように隣り合って配置した場合に、前記第１装飾品の側面から前記第２装飾品の側面にかけて前記記号または記号列が認識可能に表示される、請求項１４に記載の装飾品。
【請求項１６】
前記第１装飾品の外向き面の幅と前記第２装飾品の内向き面の幅は同等である、請求項１４または１５に記載の装飾品。
【請求項１７】
隣接した複数面に跨って記号または記号列が配置された複数の装飾品からなり、
前記複数の装飾品の記号および記号列の一部が配置された一の面どうしが隣り合うように配置した場合に、
前記隣り合う面に、前記記号または記号列が認識可能に表示される、装飾品。
【請求項１８】
前記第１装飾品の前記当接した面には、前記記号または記号列の上部が配置され、前記第２装飾品の前記当接した面には、前記記号または記号列の下部が配置されている、請求項１７に記載の装飾品。
【請求項１９】
前記隣接した複数面は、互いに略垂直である、請求項１７または１８に記載の装飾品。
【請求項２０】
前記隣接した複数面によって形成された交線部を有する、請求項１７から１９のいずれかに記載の装飾品。
【発明の詳細な説明】
【技術分野】
【０００１】
本発明は装飾品に関するものである。
【背景技術】
【０００２】
従来からペアペンダントやペアリングなどの装飾品の中には、２つの装飾品を組み合わせることで特定の模様や記号（列）を形成するものがある。これは他人から模様や記号（列）を視認され難くすることを目的とする。【０００３】
例えば、特許文献１には、内輪とこれに嵌合する外輪とよりなるペアリングが開示されている。このペアリングは、内輪および外輪にそれぞれ記号（列）の一部が彫刻されており、これらの内輪と外輪を嵌め合わせると記号列が表示される。【０００４】
特許文献２には、一方のリングの外周面と他方のリングの外周面に部分的装飾物が形成されたペアリングが開示されている。このペアリングは、両リングの外周面どうしが接するように配置することにより両リングに跨って装飾物が表示される。
【先行技術文献】
【特許文献】
【０００５】
【特許文献１】特開２００３−２９９５１１号公報
【特許文献２】実用新案登録３１０２４１３号公報
【発明の概要】
【発明が解決しようとする課題】
【０００６】
しかしながら特許文献１および２のようなペアリングでは、身につけている者でも、単独では何の記号もしくは記号列か認識できない場合がある。また、これらのペアリングでは、両リングの記号および記号列の位置合わせを円滑に行えないという場合がある。【０００７】
本発明の目的は、単独であっても特定条件において視認が容易で、また、円滑に位置合わせ可能なペアの装飾品を提供することにある。
【課題を解決するための手段】
【０００８】
本発明の装飾品は、隣接した少なくとも二面に跨って記号または記号列が配置された第１装飾品と第２装飾品とからなり、前記第１装飾品の記号または記号列の一部が配置された一の面と第２装飾品の記号または記号列の一部が配置された一の面とが隣り合うように配置した場合に、前記第１装飾品の一の面から前記第２装飾品の一の面にかけて前記記号または記号列が認識可能に表示される。
【発明の効果】
【０００９】
本発明によれば、記号もしくは記号列を他人から視認され難くし、さらに、単独の装飾品であっても特定の方向から、記号もしくは記号列を全体として視認することができるので、両リング同士の記号（列）の位置を合わせ易いというものである。【００１０】
また、２つ以上の装飾品を組み合わせる場合でも、同様の効果を奏することができる。
【図面の簡単な説明】
【００１１】
【図１】本発明の装飾品の第一の実施形態における模式図であり、（ａ）は単独品の斜視図であり、（ｂ）は複合品の正面図である。
【図２】本発明の装飾品の第二および第三の実施形態における模式図であり、（ａ）は単独品の斜視図であり、（ｂ）は複合品の正面図である。
【図３】本発明の装飾品の第四の実施形態における模式図であり、（ａ）は単独品の斜視図であり、（ｂ）は複合品の正面図である。
【発明を実施するための形態】
【００１２】
本発明の装飾品の一実施形態は、図１に示すように、隣接した少なくとも二面に跨って記号または記号列の全体７が配置された第１装飾品１と第２装飾品２とからなり、前記第１装飾品１の記号または記号列の一部が配置された一の面１１ａと第２装飾品の記号または記号列の一部が配置された一の面２２ｂとが隣り合うように第１装飾品１と第２装飾品２とを配置した場合に、前記第１装飾品１の一の面から前記第２装飾品２の一の面にかけての領域（１１ａ、２２ｂ）に前記記号または記号列が全体７として認識可能に表示される。なお、本実施形態においては、面１１ａと面２２ｂとは同一面になるように第１装飾品１と第２装飾品とが配置されている。このように、面１１ａと面２２ｂとが同一平面となる領域を有することが好ましい。
【００１３】
また、記号とは、一つの記号（文字）のことであり、記号列とは複数の記号（文字）が組み合わさった一連のもののことである。
【００１４】
本実施形態においては、第１装飾品１および前記第２装飾品２には同じ記号列３が配置されている。そして、第１装飾品１の当接した面１１ｂには記号列３の下部が配置され、第２装飾品２の当接した面２２ａには、記号列３の上部が配置されている。これによって、第１装飾品１の記号列３と第２装飾品２の記号列３とで、完成表示体７を表示することができる。
【００１５】
本明細書においては、完成表示体７とは、記号（列）の一部と残部とが組み合わさって、記号または記号列として認識可能に形成されたものである。第１装飾品１の記号列３と第２装飾品２の記号列３は相違していても、一部で記号（列）を示せば完全表示体７といえる。
【００１６】
そして、第１装飾品１と第２装飾品２における各記号（列）の上下の向きは、逆向きになっていれば両者を見分けることができ、誤って所有者が変わるようなことがないという点で好ましい。
【００１７】
前記完成表示体７は、同一面となる領域に認識可能に表示されることで、歪みなく明瞭に表示される。
【００１８】
本実施形態においては、第１装飾品１および第２装飾品２において、隣接した少なくとも二面は例えば、互いに略垂直である。これによって、第１装飾品１、第２装飾品２の単独品について、記号もしくは記号列３を他人から視認され難くすることができる。例えば、隣接した少なくとも二面が鈍角である場合、記号もしくは記号列３を他人から視認され易くなる。隣接した少なくとも二面が鋭角の場合、装着している本人でも視認が難しくなる。また、完成表示体７が連続した記号および記号列３として表示されるので美観がよい。
【００１９】
さらに、前記隣接した少なくとも二面によって形成された交線部を有することが好ましい。これによって、第１装飾品１と第２装飾品２の単独品について、記号もしくは記号列３を他人から視認され難くすることができる。
【００２０】
例えば、内外側面の交線部８が不鮮明で、大きなＲ面である場合は、各面同士の境の区切りが難しく、記号もしくは記号列３を他人から視認され易くなる。
【００２１】
また、完成表示体７が連続した記号として表示されるので美観がよい。
【００２２】
本実施形態においては、さらに、第１装飾品１と前記第２装飾品２の各々が多面体である。具体的には、多面体は、略直方体または略立方体である。
【００２３】
本発明の装飾品の第二の実施形態は、図２に示すように、前記第１装飾品１と前記第２装飾品２の各々が、外向き面（１４、２４）と、内向き面（１５、２５）と、外向き面と内向き面との間に位置する側面（１６、２６）とを有し、前記外向き面と前記側面との少なくとも二面に跨って記号または記号列が配置された環状体であって、第１装飾品１の外向き面１４と第２装飾品２の外向き面２４とが隣り合うように配置した場合に、前記第１装飾品１の外向き面１４から前記第２装飾品２の外向き面２４にかけて前記記号または記号列３が認識可能に表示されている。なお、本実施形態においては、外向き面１４と前記第２装飾品２の外向き面２４とが同一面上になるように第１装飾品１と第２装飾品とが当接されている。
【００２４】
本実施形態においては、同一面上となる第１装飾品１と第２装飾品２はそれぞれの外向き面の外径同士が同等であることが好ましい。これにより、完成表示体７が連続した記号および記号列３として表示されるので美観がよい。
【００２５】
本発明の装飾品の第三の実施形態は、前記第１装飾品１と前記第２装飾品２の各々が外向き面（１４、２４）と、内向き面（１５、２５）と、前記外向き面と前記内向き面との間に側面（１６、２６）とを有し、前記内向き面と前記側面との少なくとも二面に跨って記号または記号列が配置された環状体であって、第１装飾品１の内向き面１５と第２装飾品２の内向き面２５とを隣り合うように配置した場合に、前記第１装飾品１の内向き面１５から前記第２装飾品２の内向き面２５にかけて前記記号または記号列が認識可能に表示される。なお、本実施形態においては、内向き面１５と前記第２装飾品２の内向き面２５とが同一面上になるように第１装飾品１と第２装飾品とが当接されている。
【００２６】
本実施形態においては、同一面上となる第１装飾品１と第２装飾品２はそれぞれの内向き面の内径どうしが同等であることが好ましい。これにより、全体７が連続した記号および記号列３として表示されるので美観がよい。
【００２７】
本発明の装飾品の第四の実施形態は、図３に示すように、第１装飾品１と第２装飾品２は、各々が外向き面（１４、２４）と、内向き面（１５、２５）と、前記外向き面と前記内向き面との間に側面（１６、２６）とを有し、かつ、第１装飾品１の外径が第２装飾品２の内径以下である環状体であって、第１装飾品１には、外向き面１４と側面１６との少なくとも二面に跨って記号または記号列が配置されており、第２装飾品２には、前記内向き面２５と前記側面２６との少なくとも二面に跨って記号または記号列が配置されており、第１装飾品１の外向き面１５と第２装飾品２の内向き面２４とが対向するように配置した場合に、第１装飾品１の側面１６から第２装飾品２の側面２６にかけて記号または記号列が全体７として認識可能に表示される。本実施形態においては、第１装飾品１の内径と第２装飾品２の外径とがほぼ同等である。
【００２８】
さらに、当接した面となる前記第１装飾品１の外向き面１４の幅と前記第２装飾品２の内向き面２５の幅は同等であることが好ましい。これにより、全体７が連続した記号および記号列３として表示されるので美観がよい。
【００２９】
また、本発明の装飾品の他の実施形態は、隣接した複数面に跨って記号または記号列が配置された複数の装飾品からなり、複数の装飾品の記号および記号列の一部が配置された一の面どうしが隣り合うように配置した場合に、この隣り合う面に、前記記号または記号列が認識可能に表示される。本実施形態においては、隣り合う面は、同一面上に配置されている。
【００３０】
ここで記号とは上述の通りであり、２つ以上の装飾品を組み合わせる場合でも、記号もしくは記号列３を他人から視認され難くし、さらに、単独の装飾品であっても特定の方向から、記号もしくは記号列３を全体７として視認することができるので、両者の記号（列）３の位置を合わせ易いというものである。
【００３１】
この場合、装飾品は複数の装飾品（単独品）からなるため、装飾品のセット（複合品）ともいえる。
【００３２】
さらに、前記第１装飾品の前記当接した面には、前記記号または記号列の上部が配置され、
前記第２装飾品の前記当接した面には、前記記号または記号列の下部が配置されていることが好ましい。
【００３３】
ここで前記記号または記号列３の上部３ａと下部３ｂとは、二つの面だけで分けられているというものではなく、複数面で複数に分割されているものであってもよい。これによって、全体７を相互に補い合うことができる。
【００３４】
さらに、記号全体は前記同一面となる領域に認識可能に表示されることが好ましい。これによって、全体７が歪みなく明瞭に表示される。
【００３５】
さらに、前記隣接した複数面は互いに略垂直である認識可能に表示されることが好ましい。これによって、第１装飾品１、第２装飾品２の単独品について、記号もしくは記号列３を他人から視認され難くすることができるのは、前記一実施形態と同様である。
【００３６】
さらに、前記隣接した複数面によって形成された交線部を有することが好ましい。これによって、第１装飾品１と第２装飾品２の単独品について、記号もしくは記号列３を他人から視認され難くすることができる。
【００３７】
つぎに本発明のリングの製造方法の各実施形態について説明する。
【００３８】
リングの材質としては、例えば、プラチナ（Ｐｔ９５０）、１８金×３種類（ホワイトゴールド／イエローゴールド／ピンクゴールド）などが主流であるが、他に鏡面が出せる材質ならば可能である。
【００３９】
そして、鍛造で叩かれて板状となった素材をリングよりやや大きい大きさと形状に打ち抜き、プレス・切削加工によって製品形状に加工する。
【００４０】
あるいは、原型をゴム型抜きし、ゴム型にワックスを注入、原型と同形状になったワックスを取り出して、石膏で型取り、ワックスを熱で溶融・気化させて除去し、石膏型に溶融した地金（金・プラチナなど）を流し込んで冷却して原型と同形状の製品を形成することも可能である。
【００４１】
あるいは、真空プラズマ焼結などの金型で作製しても良いが、安価な材料であればダイス引き抜き加工後、切削加工で作製してもよく、リングの外径及び内径の関係は、同心円状に配置可能であればよい。
【００４２】
記号の加工方法の主な例としては、切削加工とレーザー加工がある。
【００４３】
切削加工については、回転工具を使用して記号形状に切削彫刻する方法であり、ＮＣ加工で所定形状のプログラムを入力して切削加工すればよい。管理条件としては、工具材質は超硬合金、単結晶ダイヤモンド、焼結ダイヤモンド、立方晶窒化ホウ素、アルミナ（コランダム）、窒化ケイ素、鋼(はがね)、サーメットなどを用いる。切削工具はルーター等であり工具回転数１００〜４００００ｒｐｍ、送り速度０．１〜１０００ｍｍ／ｓｅｃ、切り込み深さ０．０１〜１ｍｍで設定されるのが適当である。
【００４４】
レーザー加工については、レーザーを照射して所定の形状に溶融加工する方法であり、切削加工同様に所定形状のプログラムを入力してレーザー加工すればよい。管理条件としては、溶融加工を行うレーザー発振子を電圧（パワー密度）１ｍＶ〜１００ｍＶ、パルス幅０．０１ｓｅｃ〜１ｓｅｃ、パルス間隔０．００１Ｈｚ〜１００ＭＨｚに設定する。特に線の太さについてはレーザーであれば制御が容易である。
【００４５】
鏡面加工は、電解研磨あるいはバレル研磨を施してからバフ研磨を行い仕上げとし、さらには、メッキ処理でより一層の鏡面が実現し易くなる。
【００４６】
電解研磨の条件としては、液温５℃〜１５０℃、電圧１００〜２００Ｖ、電流１〜１０Ａ、処理時間は１０秒間〜３時間で設定される。
【００４７】
バレル研磨の条件（遠心／磁気のいずれか）としては、メディア材質はアルミナ、メディアの平均直径は０．３〜１μｍ、バレル方式（湿式／乾式のいずれか）、自転回転数は１〜１０ｒｐｍ、公転回転数は１〜１０ｒｐｍ、処理時間は１０秒〜３時間で設定される。
【００４８】
そして仕上げのバフ研磨の条件としては、バフ材質を天然繊維（木綿・麻・リンネル・羊毛・絹・カシミヤ・石綿・ガラス繊維など）、化学繊維（ポリエステル系合成繊維・ポリアミド系合成繊維・セルロース系半合成繊維・タンパク質系半合成繊維・セルロース系再生繊維・ガラス繊維・炭素繊維など）とし、バフ回転体の回転数を１０００〜４００００ｒｐｍ、研磨材にはダイヤモンド・立方晶窒化ホウ素・炭化ケイ素・アルミナコランダム・酸化クロム・酸化セリウム・酸化鉄・珪質石灰石などが用いられる。
【００４９】
つぎにリングに記号もしくは記号列（文字及び文字列）３を形成する方法について、切削加工やレーザー加工さらにはメッキ加工が適当であることを説明する。
【００５０】
切削加工やレーザー加工については上記のとおりであるが、メッキ加工については、メッキ液はロジウム系・ルテニウム系・プラチナ系・金系・パラジウム系・銀系・銅系・ニッケル系など、電圧２００Ｖ、電流１Ａ、処理時間１秒間〜３時間で設定されるのが適当である。管理条件としては、メッキ厚は１μｍ〜数１０μｍ、メッキ材質はロジウムメッキ、マスキング方法は一般的にはマスキング樹脂を塗布してメッキしたものであり、特にマスキング部にノボラック樹脂を塗布して選択的にメッキを行うことが容易になる。このようにマスキングを使用してメッキすることで、記号２を形成することも容易になる。
【００５１】
以上のように本発明によれば、他人から記号もしくは記号列（文字及び文字列）を視認されづらく、また、デザインに制限がなく、壊れづらい構造である指輪を提供することができる。
【符号の説明】
【００５２】
１：第１装飾品
２：第２装飾品
１３、２３：記号および記号列（文字及び文字列）
１４、２４：外向き面
１５、２５：内向き面
１６、２６：側面
７：全体
１８、２８：交線部
【図１】
2011013408.tif 000003
【図２】
2011013408.tif 000004
【図３】
2011013408.tif 000005
【国際調査報告】
2011013408.tif 000006
2011013408.tif 000007
2011013408.tif 000008
2011013408.tif 000009